(57)【要約】【課題】  真品乃至名品の所有を表す電子名品証を生成して携帯フォンなどのクライアントにディスプレイさせることにより、直ちに名品乃至真品の所有如何が分り、また、その名品の認証がその電子名品証の認証によりなされることができ、また、その名品の移転時にも一緒に電子名品証を他のクライアントに移動させるようにする電子名品証サービス方法を提供する。【解決手段】  名品の固有コード、秘密コード、キャラクターイメージ、管理プログラムなどを含み構成され、その管理プログラムにより生成時に一つの名品に対応して一つだけ生成され、生成後に移しだけができるように構成された該名品の電子名品証1の生成と伝送の要請によって最初の流通者乃至最初の購買者の携帯フォン、PDA、コンピューターなどのクライアント50に有無線インターネットなどの通信網40によりその電子名品証1を生成・伝送し、名品乃至真品か否かの確認段階なくても名品乃至真品の所有を表して名品の認証が常になされるように前記伝送された電子名品証1のキャラクターイメージをクライアント50でディスプレイさせる。【選択図】          図１
2007518184.tif 000002
【特許請求の範囲】
【請求項１】
最初の流通乃至最初の購買前に名品用視覚的タグ、アールエフタグなどに名品の固有コードを設定して表示する段階；
最初の流通乃至最初の購買時に視聴覚的タグ、アールエフタグなどにより名品上の固有コードを電子名品証生成サーバー10に入力することにより、該名品の固有コード、キャラクターイメージ、管理プログラムなどを含み構成され、その管理プログラムにより生成時に一つの名品に対応して一つだけ生成され、生成後には譲渡だけができるように構成された該名品の電子名品証1の生成と伝送を要請する段階；
固有コードを確認した後、該名品の電子名品証1を電子名品証生成サーバー10で最初に生成する段階；  
最初の流通者乃至最初の購買者の携帯フォン、PDA、コンピューターなどのクライアント50に有無線インターネットなどの通信網40を介して前記最初に生成された電子名品証1をクライアント50に伝送する段階；および
そのクライアント50でその電子名品証1のキャラクターイメージがディスプレイされる段階を含み構成されることを特徴とする電子名品証サービス方法。
【請求項２】
前記名品用視聴覚タグ、アールエフタグなどに名品の固有コードと共に秘密コードも設定されて表示され、前記電子名品証1が秘密コードを含み、前記名品の固有コードの入力以外に秘密コードも入力され、この場合、秘密コードは最初に開封されて判読可能になるか伝送可能になるように構成されることを特徴とする請求項1記載の電子名品証サービス方法。
【請求項３】
前記電子名品証生成サーバー10による電子名品証1の生成および伝送時に該名品と電子名品証1に関するデータベース30を構築し、クライアント50で電子名品証認証／管理サーバー20を介して確認および／または認証を要請するときに電子名品証認証／管理サーバー20で名品情報および／または電子名品証1の認証結果を伝送する段階と、名品の移転と共に電子名品証1を移転後のクライアント50に移し、移転前のクライアント50にはその電子名品証1を削除することにより電子名品証1の権利変動がなされることを特徴とする請求項1または請求項2記載の電子名品証サービス方法。
【請求項４】
前記電子名品証1の権利変動は、譲渡人のクライアント50から電子名品証認証／管理サーバー20を介して譲受人のクライアント50に移動させることを特徴とする請求項3記載の電子名品証サービス方法。
【請求項５】
電子名品証1の伝送後に秘密コードの変更を誘導する段階と秘密コードの変更段階を含み構成されることを特徴とする請求項1または請求項3記載の電子名品証サービス方法。
【発明の詳細な説明】
【技術分野】
【０００１】
本発明は真品乃至名品の所有を表す電子名品証を生成してインターネットなどの通信網を利用して携帯フォンなどのクライアントシステムに伝送し、ディスプレイさせることにより直ちに名品乃至真品の所有如何が分り、また、その名品の認証がその電子名品証の認証によりなされることができ、また、名品の移転時にも一緒に電子名品証を他のクライアントに移動させることができるようにする電子名品証サービス方法に関する。
【背景技術】
【０００２】
通常、名品の場合、その模造品などに因り真品如何が分るように確認乃至認証するシステムが提案されている。
【０００３】
その一例として、韓国出願番号第10−2001−0024456号(出願日：2001年5月4日)で出願して登録番号第10−0404869号(登録日：2003年10月28日)で登録された発明は、商品の真偽如何を確認するための商品の真偽如何判別方法およびこれを具現するための商品真偽如何確認システムであって、生産者とその発明によるコード発給システムが共同で生成した真品の識別コードを電子部品・ラベル・マーキングなどの形態で商品や包装容器に内蔵するか、付着または記録して販売するか、することにより、流通者・販売者または消費者が望む場合にインターネットまたは有無線通信手段によりコード検証システムに接続して前記真品の識別コードを入力して真品如何を実時間に確認し得るようにするものである。
【０００４】
これによって模倣や偽造が不可能な真品識別コードを商品に付けることにより、偽造商品や贋物商品の識別を容易にすることができ、また、前記識別コードの露出なしに記録し得るだけでなく、別途のコード生成手段およびコード判読手段を適用することにより露出されなかった状態の真品識別コードを認識するようにすることにより、模倣または複製を源泉的に予防することができるようにしたものである。
【０００５】
また、韓国公開番号特2003−0089045号で2003年11月21日公開されたアールエフアイディカードタグとモバイルメッセージによる製品真偽区別サービス方法および装置の要旨は、名品に付着されたアールエフアイディカードタグを利用して自動でリーダー機により名品についての真品確認を要請し、これについてのメッセージで要請者の携帯断末機に真品であるのを確認するものである。
【発明の開示】
【発明が解決しようとする課題】
【０００６】
しかし、識別コードが露出されないように構成するのが難しいだけでなく、真品如何確認が常に識別コードの入力やアールエフアイディカードタグのリーディングによりなされるため不便であり、そのような照会なくでは直ちに真品であるのかが分らないという問題がある。
【課題を解決するための手段】
【０００７】
従って、本発明はこのような問題を解決するためのもので、真品乃至名品の所有を表す電子名品証を生成して携帯フォンなどのクライアントにディスプレイさせることにより、直ちに名品乃至真品の所有如何が分り、また、その名品の認証がその電子名品証の認証によりなされることができ、また、その名品の移転時にも一緒に電子名品証を他のクライアントに移動させるようにする電子名品証サービス方法を提供することにその目的がある。
【０００８】
前記の目的を達成するための解決方法は、該名品の固有コード、秘密コード、キャラクターイメージ、管理プログラムなどを含む電子名品証を該名品について生成して名品の生産後に流通過程によって有無線ネットワークなどの電子媒体を通じて移動させ、その電子媒体が連結された携帯フォンなどのクライアントのディスプレイ装置によりキャラクターイメージをディスプレイさせることにより、直ちに名品乃至真品の所有如何が分るようにするのである。
【０００９】
即ち、本発明のＩ実施例による電子名品証サービス方法は、最初の流通乃至最初の購買前に該名品用視聴覚的タグ、アールエフタグなどにその名品の固有コードを設定して表示する段階；最初の流通乃至購買時に視聴覚タグ、アールエフタグなどのより名品証の固有コードを電子名品証生成サーバーに入力することにより、該名品の固有コード、キャラクターイメージ、管理プログラムなどを含み構成され、その管理プログラムにより生成時に一つの名品に対応して一つだけ生成され、生成後に移動だけが可能になるように構成された該名品の電子名品証の生成と伝送を要請する段階；前記該名品の電子名品証を電子名品証生成サーバーで最初に生成する段階；最初の流通者乃至購買者の携帯フォン、PDA、コンピューターなどのクライアントに有無線インターネットなどの通信網を介して前記最初に生成された電子名品証を伝送する段階；そして、名品乃至真品如何の確認段階がなくても名品乃至真品の所有を表すように、、また、名品の認証が常になされることができるように前記伝送された電子名品証のキャラクターイメージをクライアントにディスプレイさせる段階を含み構成されることを特徴とする。
【発明の効果】
【００１０】
本発明の実施例による電子名品証サービス方法の効果は、真品乃至名品の所有を表す電子名品証を生成して携帯フォンなどのクライアントにディスプレイさせることにより、直ちに名品乃至真品の所有如何が分り、また、その名品の認証がその電子名品証の認証によりなされることができ、また、名品の移転時にも一緒に電子名品証を他のクライアントに譲り渡して名品の権利変動を明確にすることができることなどである。
【発明を実施するための最良の形態】
【００１１】
以下、添付図面を参照して本発明の望ましい実施例について詳細に説明する。
【００１２】
図１で本発明の電子名品証サービス方法を実現させるための基本的なシステムは、電子名品証生成サーバー10、インターネットなどの通信網40およびクライアント50を備え、さらには別の実施例らを実現させるためには電子名品証認証／管理サーバー20を含み構成される。
【００１３】
先ず、電子名品証サービス方法として、図２にフロー図で図示された通り、電子名品証サービス方法は、最初の流通乃至最初の購買前に名品用視聴覚的タグ、アールエフタグなどに名品の固有コードと、電子名品証1の生成のための秘密コードを設定して表示する。
【００１４】
その後、電子名品証生成サーバー10に接続して最初の流通乃至最初の購買時に視聴覚的タグ、アールエフタグなどにより名品上の固有コードと、電子名品証の生成のための秘密コードを入力(伝送)し、電子名品証1の生成と伝送を要請する。この際、名品の固有コード入力時に名品内訳説明だけを要請するようにすることもできる。また、該名品の電子名品証1の生成のための秘密コードの入力伝送時には伝送を受けるクライアント50などの情報を別途に入力するように構成することもでき、該クライアント50に伝送されるように構成することもできる。また、電子名品証生成サーバー10でキャラクターイメージの形状を商品毎に固定させることもでき、または、多様な形状のうちから選択できるように構成することもできる。伝送を受けるクライアント50などの情報が電子メール住所である場合、その受けたメールをクリックすることのみで電子名品証がローディングされディスプレイされるように管理プログラムが構成されるのが望ましい。
【００１５】
前記の通り電子名品証生成サーバー10で該名品についての電子名品証1を生成して該クライアント50に伝送することにより名品対応電子名品証1の発給がなされるようになり、クライアント50でその電子名品証1のキャラクターイメージがディスプレイされるようになる。この際、追後管理のためにデータベース30を構築するのが望ましい。このように生成・発給される電子名品証1は、固有コード、秘密コード、表示されるキャラクターイメージ、管理プログラムなどを含み構成されるのが望ましく、その管理プログラムは電子名品証1の生成後に移動のみできるように複写時に原本削除段階、名品および／または名品証確認要請、権利変動要請、秘密コード変更申請、秘密コード入力などができるように構成するのが望ましい。
【００１６】
一方、名品に付着される視聴覚タグ、アールエフタグなどの電子名品証の生成のための秘密コードは、最初の流通乃至最初の購買時まで分らないように構成され(視覚的タグの場合、アルミニウム膜で密封する)、最初の流通または最初の購買時に開封し得るか伝送し得るのが望ましく、データベース30には電子名品証1の情報、その電子名品証1の位置情報、名品情報、秘密コードなどを含み構築されるのが望ましい。
【００１７】
このように名品の流通乃至販売時にその 名品に対応する電子名品証1を生成して伝送し、携帯フォンなどのクライアント50でその電子名品証1をキャラクターイメージにまたはキャラクターイメージと共にディスプレイさせることにより、誰でも該クライアントの所有者が名品の所有者であるのが分るようになり、誰でも真品であるのを認めることができるようになる。
【００１８】
延いては、真品か否かの確認乃至認証段階を備えることができ、また、その名品の移転時に電子名品証1も一緒に移動(伝送)させるように構成することにより、真品の権利変動時に効果的にその権利の変動結果を表すことができるようになる。
【００１９】
その一つの実施例として、図1で前記電子名品証生成サーバー10による電子名品証1の生成および伝送時に該名品と電子名品証1に関するデータベース30を構築し、図3に図示された通り、クライアント50で電子名品証認証／管理サーバー20を介して確認および／または認証を要請するときに電子名品証認証／管理サーバー20で名品情報および／または電子名品証1の認証結果を伝送し得るように構成し、その結果をクライアント50にディスプレイできるように構成するのが望ましい。
【００２０】
また、図３に図示された通り、名品の移転と共に電子名品証1を移転後のクライアント50に譲り渡し移転前のクライアント50で削除することにより電子名品証1の権利変動がなされるように構成することもでき、譲渡人のクライアント50から電子名品証認証／管理サーバー20を介して譲受人のクライアント50に移動させることもできる。後者の場合、電子名品証認証／管理サーバー20を介して移動させることができるように構成することにより、一層電子名品証1の管理が可能になる。
【００２１】
一方、図示を省略したが、秘密コードの漏洩による電子名品証1の移動を更に防止するために電子名品証1の伝送後に秘密コードの変更を誘導する段階と、従来の既知の秘密コードの変更段階を含み構成するのが望ましい。また、電子名品証1の認証などには公知された認証方法を採用することができる。
【産業上の利用可能性】
【００２２】
前述した本発明の実施例による電子名品証サービス方法の構成と作用によれば、真品乃至名品の所有を表す電子名品証を生成して携帯フォンなどのクライアントにディスプレイさせることにより、直ちに名品乃至真品の所有如何が分り、また、その名品の認証がその電子名品証の認証によりなされることができ、名品の移転時にも一緒に電子名品証を他のクライアントに譲り渡して名品の権利変動を明確にすることができるようになる。
【図面の簡単な説明】
【００２３】
【図１】本発明のＩ実施例による電子名品証サービス方法を実現させるためのシステムの概略構成図である。
【図２】本発明のＩ実施例による電子名品証サービス方法を示したフロー図である。
【図３】本発明の更に追加的構成を示したフロー図である。
【図１】
2007518184.tif 000003
【図２】
2007518184.tif 000004
【図３】
2007518184.tif 000005
【国際調査報告】
2007518184.tif 000006